【手続補正書】
【提出日】平成21年6月25日(2009.6.25)
【手続補正１】
【補正対象書類名】明細書
【補正対象項目名】特許請求の範囲
【補正方法】変更
【補正の内容】
【特許請求の範囲】
【請求項１】  一連のビデオ画像を符号化し、符号化したビデオ信号を生成するための方法であって、前記方法が、
特定の画像または特定の画像の一部を、第１の符号化モードにおいて時間的な予測を用いず、前記特定の画像または前記特定の画像の一部の第１の符号化した画像を生成するために符号化するステップと、
前記特定の画像または前記特定の画像の一部を、第２の符号化モードにおいて前記一連のビデオの異なる画像から取得した基準画像に関連して時間的な予測を用い、前記特定の画像または前記特定の画像の一部に対応する時間的に予測した第２の符号化した画像を生成するために符号化するステップと、を含み、
前記時間的に予測した第２の符号化した画像は運動ベクトルと予測エラー情報とを含むことを特徴とする方法。
【請求項２】  請求項１に記載の方法において、前記方法が、前記特定の画像の前記第２の符号化した画像を、前記符号化したビデオ信号においてＩＮＴＥＲ符号化画像として提供することを含むことを特徴とする方法。
【請求項３】  請求項１に記載の方法において、前記方法が、前記第１の符号化モードで符号化した各画像または画像の一部も、前記第２の符号化モードで符号化することを含むことを特徴とする方法。
【請求項４】  請求項１に記載の方法において、前記第２の符号化モードは前記特定の画像または前記特定の画像の一部を、前記特定の画像よりも時間的に前の前記一連のビデオ画像内で発生する他の画像から取得した基準画像に関連して、順方向の時間的予測を用いて符号化することを含むことを特徴とする方法。
【請求項５】  請求項１に記載の方法において、前記第２の符号化モードは前記特定の画像または前記特定の画像の一部を、前記特定の画像よりも時間的に後の前記一連のビデオ画像内で発生する他の画像から取得した基準画像と関連して、逆方向の時間的予測を用いて符号化することを含むことを特徴とする方法。
【請求項６】  請求項１に記載の方法において、前記方法が、前記特定の画像または前記特定の画像の一部を、前記第２の符号化モードを２回以上用いて、前記特定の画像または前記特定の画像の一部の時間的に予測した第２の符号化した画像を二つ以上生成するために符号化することを含むことを特徴とする方法。
【請求項７】  請求項６に記載の方法において、前記方法が、前記特定の画像または前記特定の画像の一部を、前記第２の符号化モードを２回以上用い、その都度異なる基準画像に関連した時間的予測を用いて符号化することを含むことを特徴とする方法。
【請求項８】  請求項７に記載の方法において、前記方法が、前記特定の画像または前記特定の画像の一部を、前記第２の符号化モードを２回用い、１回目は前記特定の画像よりも時間的に前の前記一連のビデオ画像内で発生する画像から取得した基準画像に関連した順方向の時間的予測を用い、２回目は前記特定の画像よりも時間的に後の前記一連のビデオ画像内で発生する画像から取得した基準画像と関連した逆方向の時間的予測を用いて符号化することを含むことを特徴とする方法。
【請求項９】  請求項１に記載の方法において、前記方法が、一定の時間ごとに、前記一連のビデオ画像より画像を選択して第１の符号化モードにて符号化し、選択された前記画像に対応する時間的に予測した第２の符号化した画像を生成することを含むことを特徴とする方法。
【請求項１０】  請求項１に記載の方法において、前記方法が、前記一連のビデオ画像より画像を選択して第１の符号化モードにて所定の一定のシーケンスで符号化し、選択された前記画像に対応する時間的に予測した第２の符号化した画像を生成することを含むことを特徴とする方法。
【請求項１１】  請求項１に記載の方法において、前記方法が、前記一連のビデオ画像より画像を選択してフィードバック制御データに応じて前記第１の符号化モードで符号化し、選択された前記画像に対応する時間的に予測した第２の符号化した画像を生成することを含むことを特徴とする方法。
【請求項１２】  請求項１に記載の方法において、前記方法が、
シーン・カットを伴う前記一連のビデオ画像を識別するステップと、
前記シーン・カットを伴う前記画像を前記第１および第２の符号化モードにて符号化するステップと、を含むことを特徴とする方法。
【請求項１３】  請求項１２に記載の方法において、前記方法が、シーン・カットを伴う前記画像に対応する時間的に予測した第２の符号化した画像を、シーン・カットを伴う前記画像よりも時間的に後の前記一連のビデオ画像内で発生する他の画像から取得した基準画像と関連して、逆方向の時間的予測を用い、生成することを含むことを特徴とする方法。
【請求項１４】  請求項１３に記載の方法において、前記方法が、シーン・カットを伴う画像に対応する時間的に予測した第２の符号化した画像を、前記第１の符号化モードで符号化した前記一連のビデオのその次の画像から取得した基準画像と関連して、逆方向の時間的予測を用い、生成することを含むことを特徴とする方法。
【請求項１５】  請求項１に記載の方法において、前記方法が、
前記一連のビデオ画像の最初の画像を前記第１の符号化モードで符号化し、
前記一連のビデオ画像の最初の画像に対応する時間的に予測した第２の符号化した画像を、前記最初の画像よりも時間的に後に前記一連のビデオ画像内で発生する他の画像から取得した基準画像と関連して、逆方向の時間的予測を用い、生成することを含むことを特徴とする方法。
【請求項１６】  請求項１５に記載の方法において、前記方法が、前記一連のビデオ画像の最初の画像に対応する時間的に予測した第２の符号化した画像を、前記第１の符号化モードで符号化した一連のビデオのその次の画像から取得した基準画像と関連して、逆方向の時間的予測を用い、生成することを含むことを特徴とする方法。
【請求項１７】  請求項１に記載の方法において、前記方法が、前記一連のビデオ画像について対応する時間的に予測した第２の符号化した画像を順方向の時間的予測のみを用いて前記第１の符号化モードで符号化し、生成することを含むことを特徴とする方法。
【請求項１８】  請求項１乃至１７のいずれかに記載の方法において、前記第１の符号化モードはＩＮＴＲＡ符号化モードであり、前記第２の符号化モードはＩＮＴＥＲ符号化モードであることを特徴とする方法。
【請求項１９】  請求項１８に記載の方法において、前記ＩＮＴＥＲ符号化モードはＰ画像を生成することを特徴とする方法。
【請求項２０】  一連のビデオ画像を符号化し、符号化したビデオ信号を生成するための方法であって、前記方法が、
前記一連のビデオの特定の画像を、前記一連のビデオの他の画像から取得した基準画像と関連して、時間的な予測を用い、前記特定の画像の第１の符号化した画像を形成するために符号化するステップと、
前記特定の画像の特定のセグメントが第１の符号化モードで時間的予測を用いず符号化され、前記特定の画像の他の全てのセグメントが前記特定の画像の前記第１の符号化した画像に関連して変化していない前記特定の画像の第１の冗長な画像を提供するステップと、
前記特定の画像の前記特定のセグメントが時間的な予測を用いた第２の符号化モードで符号化されている前記特定の画像の第２の冗長な符号化した画像を提供するステップと、を含むことを特徴とする方法。
【請求項２１】  請求項２０に記載の方法であって、前記方法が、前記特定の画像の前記第２の冗長な符号化した画像に関し、時間的な予測を用いず前記特定のセグメントを符号化した前記特定の画像の前記第１の冗長な画像以外の前記特定の画像の前記特定のセグメントを前記一連のビデオの最新画像から取得した基準画像に関連して時間的な予測を用いて符号化することを特徴とする方法。
【請求項２２】  請求項２０または２１に記載の方法であって、前記第１の符号化モードはＩＮＴＲＡ符号化モードであり、前記第２の符号化モードはＩＮＴＥＲ符号化モードであることを特徴とする方法。
【請求項２３】  請求項２２に記載の方法であって、前記ＩＮＴＥＲ符号化モードはＰ画像を生成することを特徴とする方法。
【請求項２４】  一連のビデオ画像を表す符号化したビデオ信号を復号化する方法であって、前記方法が、
特定の画像の時間的に予測した符号化した画像を受信するステップと、
前記特定の画像の時間的に予測していない符号化した画像が正常に復号化されているか否かを判断するステップと、
前記特定の画像の時間的に予測していない符号化した画像が正常に復号化された旨の判断を受け、前記受信した前記特定の画像の時間的に予測した符号化した画像を捨てるまたは無視するステップ、とを含むことを特徴とする方法。
【請求項２５】  請求項２４に記載の方法において、前記方法が、前記特定の画像の時間的に予測していない符号化した画像が正常に復号化されていない旨の判断を受け、
前記受信した前記特定の画像の時間的に予測した符号化した画像の予測基準画像が復号化されているか判断し、復号化されている場合、前記予測基準画像に関連した時間的予測を用いて前記特定の画像の復号化した画像を形成することを含むことを特徴とする方法。
【請求項２６】  請求項２５に記載の方法において、前記方法がさらに、受信した画像の時間的に予測した符号化した画像を、前記特定の画像に関連して時間的な予測を用いて予測するため、前記特定の画像の前記復号化した画像が使用可能になるまでバッファすることを含むことを特徴とする方法。
【請求項２７】  請求項２５に記載の方法において、前記方法が、前記一連のビデオ画像の中の前記特定の画像よりも時間的に前に、前記予測基準画像が発生した時、前記特定の画像の復号化した画像を形成するため、順方向の時間的予測を用いることを含むことを特徴とする方法。
【請求項２８】  請求項２５に記載の方法において、前記方法が、前記一連のビデオ画像の中の前記特定の画像よりも時間的に後に、前記予測基準画像が発生した時、前記特定の画像の復号化した画像を形成するため、逆方向の時間的予測を用いることを含むことを特徴とする方法。
【請求項２９】  請求項２４に記載の方法であって、前記特定の画像の時間的に予測した符号化した画像はＰ画像であることを特徴とする方法。
【請求項３０】  請求項２４に記載の方法であって、前記特定の画像の前記時間的に予測していない符号化した画像はＩ画像であることを特徴とする方法。
【請求項３１】  請求項２４に記載の方法であって、前記特定の画像はシーン・カットを伴うことを特徴とする方法。
【請求項３２】  請求項２４に記載の方法であって、前記特定の画像は前記一連のビデオ画像の最初の画像であることを特徴とする方法。
【請求項３３】  一連のビデオ画像を符号化し、符号化したビデオ信号を生成するためのビデオ・エンコーダであって、前記ビデオ・エンコーダが、
特定の画像または特定の画像の一部を、第１の符号化モードにおいて時間的な予測を用いず、前記特定の画像または前記特定の画像の一部の第１の符号化した画像を生成するために符号化し、
前記特定の画像または前記特定の画像の一部を、第２の符号化モードにおいて前記一連のビデオの異なる画像から取得した基準画像に関連して時間的な予測を用い、前記特定の画像または前記特定の画像の一部に対応する時間的に予測した第２の符号化した画像を生成するために符号化するように構成され、
前記時間的に予測した第２の符号化した画像は運動ベクトルと予測エラー情報を含むことを特徴とするビデオ・エンコーダ。
【請求項３４】  請求項３３に記載のエンコーダであって、前記エンコーダが、前記特定の画像の前記第２の符号化した画像を、前記符号化したビデオ信号においてＩＮＴＥＲ符号化画像として提供するように構成されていることを特徴とするエンコーダ。
【請求項３５】  請求項３３に記載のエンコーダであって、前記エンコーダが、前記第１の符号化モードで符号化した各画像または画像の一部も、前記第２の符号化モードで符号化するように構成されていることを特徴とするエンコーダ。
【請求項３６】  請求項３３に記載のエンコーダであって、前記エンコーダが、前記特定の画像または前記特定の画像の一部を、前記第２の符号化モードにおいて、前記特定の画像よりも時間的に前の前記一連のビデオ画像の中に発生する他の画像から取得した基準画像に関連して、順方向の時間的予測を用いて符号化するように構成されていることを特徴とするエンコーダ。
【請求項３７】  請求項３３に記載のエンコーダであって、前記エンコーダが、前記特定の画像または前記特定の画像の一部を、前記第２の符号化モードにおいて、前記特定の画像よりも時間的に後の前記一連のビデオ画像の中に発生する他の画像から取得した基準画像に関連して、逆方向の時間的予測を用いて符号化するように構成されていることを特徴とするエンコーダ。
【請求項３８】  請求項３３に記載のエンコーダであって、前記エンコーダが、前記特定の画像または前記特定の画像の一部を、前記第２の符号化モードを２回以上用いて、前記特定の画像または前記特定の画像の一部の時間的に予測した第２の符号化画像を二つ以上生成するために符号化するように構成されていることを特徴とするエンコーダ。
【請求項３９】  請求項３８に記載のエンコーダであって、前記エンコーダが、前記特定の画像または前記特定の画像の一部を、前記第２の符号化モードを２回以上用い、その都度異なる基準画像に関連した時間的予測を用いて符号化するように構成されていることを特徴とするエンコーダ。
【請求項４０】  請求項３９に記載のエンコーダであって、前記エンコーダが、前記特定の画像または前記特定の画像の一部を、前記第２の符号化モードを２回用い、１回目は前記特定の画像よりも時間的に前の前記一連のビデオ内で発生する画像から取得した基準画像に関連した順方向の時間的予測を用い、２回目は前記特定の画像よりも時間的に後の前記一連のビデオ内で発生する画像から取得した基準画像と関連した逆方向の時間的予測を用いて符号化するように構成されていることを特徴とするエンコーダ。
【請求項４１】  請求項３３に記載のエンコーダであって、前記エンコーダが、一定の時間ごとに、前記一連のビデオより画像を選択して第１の符号化モードにて符号化し、選択された前記画像に対応する時間的に予測した前記第２の符号化した画像を生成するように構成されていることを特徴とするエンコーダ。
【請求項４２】  請求項３３に記載のエンコーダであって、前記エンコーダが、前記一連のビデオ画像より画像を選択して第１の符号化モードにて所定の一定のシーケンスで符号化し、選択された前記画像に対応する時間的に予測した前記第２の符号化した画像を生成するように構成されていることを特徴とするエンコーダ。
【請求項４３】  請求項３３に記載のエンコーダであって、前記エンコーダが、前記一連のビデオ画像より画像を選択してフィードバック制御データに応じて前記第１の符号化モードで符号化し、選択された前記画像に対応する時間的に予測した第２の符号化した画像を生成するように構成されていることを特徴とするエンコーダ。
【請求項４４】  請求項３３に記載のエンコーダであって、前記エンコーダが、
シーン・カットを伴う前記一連のビデオの画像を識別し、
前記シーン・カットを伴う前記画像を前記第１および第２の符号化モードで符号化するように構成されていることを特徴とするエンコーダ。
【請求項４５】  請求項４４に記載のエンコーダであって、前記エンコーダが、シーン・カットを伴う前記画像に対応する時間的に予測した第２の符号化した画像を、シーン・カットを伴う前記画像よりも時間的に後の前記一連のビデオ画像内で発生する他の画像から取得した基準画像と関連して、逆方向の時間的予測を用い、生成するように構成されていることを特徴とするエンコーダ。
【請求項４６】  請求項４５に記載のエンコーダであって、前記エンコーダが、シーン・カットを伴う画像に対応する時間的に予測した第２の符号化した画像を、前記第１の符号化モードで符号化した前記一連のビデオのその次の画像から取得した基準画像と関連して、逆方向の時間的予測を用い、生成するように構成されていることを特徴とするエンコーダ。
【請求項４７】  請求項３３に記載のエンコーダであって、前記エンコーダが、
前記一連のビデオ画像の最初の画像を前記第１の符号化モードで符号化し、
前記一連のビデオ画像の最初の画像に対応する時間的に予測した第２の符号化した画像を、前記最初の画像よりも時間的に後に前記一連のビデオ画像内で発生する他の画像から取得した基準画像と関連して、逆方向の時間的予測を用い、生成するように構成されていることを特徴とするエンコーダ。
【請求項４８】  請求項４７に記載のエンコーダであって、前記エンコーダが、前記一連のビデオ画像の最初の画像に対応する時間的に予測した第２の符号化した画像を、前記第１の符号化モードで符号化した一連のビデオのその次の画像から取得した基準画像と関連して、逆方向の時間的予測を用い、生成するように構成されていることを特徴とするエンコーダ。
【請求項４９】  請求項３３に記載のエンコーダであって、前記エンコーダが、前記一連のビデオ画像について対応する時間的に予測した第２の符号化した画像を順方向の時間的予測のみを用いて前記第１の符号化モードで符号化し、生成するように構成されていることを特徴とするエンコーダ。
【請求項５０】  請求項３３乃至４９のいずれかに記載のエンコーダであって、前記第１の符号化モードはＩＮＴＲＡ符号化モードであり、前記第２の符号化モードはＩＮＴＥＲ符号化モードであることを特徴とするエンコーダ。
【請求項５１】  請求項５０に記載のエンコーダであって、前記ＩＮＴＥＲ符号化モードはＰ画像を生成することを特徴とするエンコーダ。
【請求項５２】  一連のビデオ画像を符号化し、符号化したビデオ信号を生成するビデオ・エンコーダであって、前記エンコーダが、
前記一連のビデオの特定の画像を、前記一連のビデオの他の画像から取得した基準画像と関連して、時間的な予測を用い、前記特定の画像の第１の符号化した画像を形成するために符号化し、
前記特定の画像の特定のセグメントが第１の符号化モードで時間的予測を用いず符号化され、前記特定の画像の他の全てのセグメントが前記特定の画像の前記第１の符号化した画像に関連して変化していない前記特定の画像の第１の冗長な画像を提供し、
前記特定の画像の前記特定のセグメントが時間的な予測を用いた第２の符号化モードで符号化されている前記特定の画像の第２の冗長な符号化した画像を提供するように構成されていることを特徴とするビデオ・エンコーダ。
【請求項５３】  請求項５２に記載のビデオ・エンコーダであって、前記エンコーダが、前記特定の画像の前記第２の冗長な符号化した画像に関し、時間的な予測を用いず前記特定のセグメントを符号化した前記特定の画像の前記第１の冗長な画像以外の前記特定の画像の前記特定のセグメントを前記一連のビデオの最新画像から取得した基準画像に関連して時間的な予測を用いて符号化するように構成されていることを特徴とするビデオ・エンコーダ。
【請求項５４】  請求項５２または５３に記載のエンコーダであって、前記第１の符号化モードはＩＮＴＲＡ符号化モードであり、前記第２の符号化モードはＩＮＴＥＲ符号化モードであることを特徴とするエンコーダ。
【請求項５５】  請求項５４に記載のエンコーダであって、前記ＩＮＴＥＲ符号化モードはＰ画像を生成することを特徴とするエンコーダ。
【請求項５６】  一連のビデオ画像を符号化し、符号化したビデオ信号を生成するためのビデオ・エンコーダであって、前記ビデオ・エンコーダが、
特定の画像または特定の画像の一部を、第１の符号化モードにおいて時間的な予測を用いず、前記特定の画像または前記特定の画像の一部の第１の符号化した画像を生成するために符号化する手段と、
前記特定の画像または特定の画像の一部を、第２の符号化モードにおいて前記一連のビデオの異なる画像から取得した基準画像に関連して時間的な予測を用い、前記特定の画像または前記特定の画像の一部に対応する前記時間的に予測した第２の符号化した画像を生成するために符号化する手段と、を含み、
前記時間的に予測した第２の符号化した画像は運動ベクトルと予測エラー情報とを含むことを特徴とするビデオ・エンコーダ。
【請求項５７】  一連のビデオ画像を表す符号化したビデオ信号を復号化するビデオ・デコーダであって、前記ビデオ・デコーダが、
特定の画像の時間的に予測した符号化した画像を受信し、
前記特定の画像の時間的に予測していない符号化した画像が正常に復号化されているか否かを判断し、
前記特定の画像の時間的に予測していない符号化した画像が正常に復号化された旨の判断を受け、前記受信した前記特定の画像の前記時間的に予測した符号化した画像を捨てるまたは無視するように構成されていることを特徴とするビデオ・デコーダ。
【請求項５８】  請求項５７に記載のデコーダであって、前記デコーダが、前記特定の画像の時間的に予測していない符号化した画像が正常に復号化されていない旨の判断を受け、
前記受信した前記特定の画像の時間的に予測した符号化した画像の予測基準画像が復号化されているか判断し、復号化されている場合、前記予測基準画像に関連した時間的予測を用いて前記特定の画像の復号化した画像を形成するように構成されていることを特徴とするデコーダ。
【請求項５９】  請求項５８に記載のデコーダであって、前記デコーダがさらに、受信した画像の時間的に予測した符号化した画像を、前記特定の画像に関連して時間的な予測を用いて予測するため、前記特定の画像の前記復号化した画像が使用可能になるまでバッファするように構成されていることを特徴とするデコーダ。
【請求項６０】  請求項５８に記載のデコーダであって、前記デコーダが、前記一連のビデオ画像の中の前記特定の画像よりも時間的に前に、前記予測基準画像が発生した時、前記特定の画像の復号化した画像を形成するため、順方向の時間的予測を用いるように構成されていることを特徴とするデコーダ。
【請求項６１】  請求項５８に記載のデコーダであって、前記デコーダが、前記一連のビデオ画像の中の前記特定の画像よりも時間的に後に、前記予測基準画像が発生した時、前記特定の画像の復号化した画像を形成するため、逆方向の時間的予測を用いるように構成されていることを特徴とするデコーダ。
【請求項６２】  請求項５７に記載のデコーダであって、前記特定の画像の時間的に予測した符号化した画像はＰ画像であることを特徴とするデコーダ。
【請求項６３】  請求項５７に記載のデコーダであって、前記特定の画像の時間的に予測していない符号化した画像はＩ画像であることを特徴とするデコーダ。
【請求項６４】  請求項５７に記載のデコーダであって、前記特定の画像はシーン・カットを使うことを特徴とするデコーダ。
【請求項６５】  請求項５７に記載のデコーダであって、前記特定の画像は前記一連のビデオ画像の最初の画像であることを特徴とするデコーダ。
【請求項６６】  一連のビデオ画像を表す符号化したビデオ信号を復号化するビデオ・デコーダであって、前記ビデオ・デコーダが、
特定の画像の時間的に予測した符号化した画像を受信する手段と、
前記特定の画像の時間的に予測していない符号化した画像が正常に復号化されているか否かを判断する手段と、
前記特定の画像の時間的に予測していない符号化した画像が正常に復号化された旨の判断を受け、受信した前記特定の画像の前記時間的に予測した符号化した画像を捨てるまたは無視する手段と、を含むことを特徴とするビデオ・デコーダ。
【請求項６７】  請求項６６に記載のデコーダであって、前記デコーダが、
前記受信した前記特定の画像の時間的に予測した符号化した画像の予測基準画像が復号化されているか判断する手段と、
前記受信した前記特定の画像の時間的に予測した符号化した画像の予測基準画像が復号化されている旨の判断を受け、前記予測基準画像に関連した時間的予測を用いて前記特定の画像の復号化した画像を形成する手段と、を含むことを特徴とするデコーダ。
【請求項６８】  請求項３３に記載のビデオ・エンコーダを含むことを特徴とするマルチメディア・システム。
【請求項６９】  請求項５７または５８に記載のビデオ・デコーダを含むことを特徴とするマルチメディア・システム。
【請求項７０】  一連のビデオ画像を符号化し、符号化したビデオ信号を形成するためのビデオ・エンコーダを含む携帯用電子機器であって、前記ビデオ・エンコーダが、
特定の画像または特定の画像の一部を、第１の符号化モードにおいて時間的な予測を用いず、前記特定の画像または前記特定の画像の一部の第１の符号化した画像を生成するために符号化し、
前記特定の画像または前記特定の画像の一部を、第２の符号化モードにおいて前記一連のビデオの異なる画像から取得した基準画像に関連して時間的な予測を用い、前記特定の画像または前記特定の画像の一部に対応する時間的に予測した第２の符号化した画像を生成するために符号化するように構成され、前記時間的に予測した第２の符号化した画像は運動ベクトルと予測エラー情報とを含むことを特徴とする携帯用電子機器。
【請求項７１】  ビデオ・デコーダを含む携帯用電子機器であって、前記ビデオ・デコーダが、
特定の画像の時間的に予測した符号化した画像を受信し、
前記特定の画像の時間的に予測していない符号化した画像が正常に復号化されているか否かを判断し、
前記特定の画像の時間的に予測していない符号化した画像が正常に復号化された旨の判断を受け、前記受信した前記特定の画像の前記時間的に予測した符号化した画像を捨てるまたは無視するように構成されていることを特徴とする携帯用電子機器。
【請求項７２】  請求項７１に記載の携帯用電子機器であって、前記ビデオ・デコーダが、前記特定の画像の時間的に予測していない符号化した画像が正常に復号化されていない旨の判断を受け、前記受信した前記特定の画像の時間的に予測した符号化した画像の予測基準画像が復号化されているか判断し、復号化されている場合、前記予測基準画像に関連した時間的予測を用いて前記特定の画像の復号化した画像を形成するように構成されていることを特徴とする携帯用電子機器。
【請求項７３】  一連のビデオ画像を符号化し、符号化したビデオ信号を生成する装置であって、請求項３３に記載のビデオ・エンコーダを含むことを特徴とする装置。
【請求項７４】  一連のビデオ画像を表す符号化したビデオ信号を復号化する装置であって、請求項５７または５８に記載のビデオ・デコーダを含むことを特徴とする装置。
【請求項７５】  一連のビデオ画像を表す符号化したビデオ信号を復号化するための方法であって、前記方法が、
特定の画像の第１の時間的に予測していない符号化した画像の喪失または劣化を検出するステップと、
もし喪失または劣化している場合には、対応する前記特定の画像の時間的に予測した第２の符号化した画像の受信のため、前記符号化したビデオ信号をモニタするステップと、
前記対応する前記特定の画像の時間的に予測した第２の符号化した画像を復号化するステップと、を含むことを特徴とする方法。
【請求項７６】  一連のビデオ信号を表す符号化したビデオ画像を復号化するビデオ・デコーダであって、前記ビデオ・デコーダが、
特定の画像の第１の時間的に予測していない符号化した画像の喪失または劣化を検出し、
もし喪失または劣化している場合には、対応する前記特定の画像の時間的に予測した第２の符号化した画像の受信のため、前記符号化したビデオ信号をモニタし、
前記対応する前記特定の画像の時間的に予測した第２の符号化した画像を復号化するように構成されていることを特徴とするビデオ・デコーダ。